(57)【要約】【課題】  基礎の外表面に基礎化粧モルタルを形成する際、その上端や厚さの基準とする役割を果たすことが可能な基礎パッキンを提供すること。【解決手段】  基礎と土台との間に設けられ、所定の厚さを有する矩形板状の基礎パッキンであって、ボルトを通すための穴が上下方向に穿ってあり、長辺外側面には、水平方向に突出したモルタル止め部が設けられていることを特徴とする基礎パッキン。【選択図】    図１
2005330798.tif 000002
【特許請求の範囲】
【請求項１】
基礎と土台との間に設けられ、所定の厚さを有する矩形板状の基礎パッキンであって、
ボルトを通すための穴が上下方向に穿ってあり、長辺外側面には、水平方向に突出したモルタル止め部が設けられていることを特徴とする基礎パッキン。
【請求項２】
位置決め用のぞき孔が設けられている請求項１記載の基礎パッキン。
【請求項３】
前記長辺外側面には、水平方向に貫通する多数の通気孔が設けられている請求項１又は２記載の基礎パッキン。
【請求項４】
下面には、モルタル止め部より幅方向の中心に至るまでの区間に段部が設けられ、幅方向の中心を含む平面よりモルタル止め部を含む平面の方が高くなるように設定されている請求項１〜３のいずれかに記載の基礎パッキン。
【請求項５】
その下面には、下方に突出するパッキン位置決め用突出部が設けられている請求項１〜３のいずれかに記載の記載の基礎パッキン。
【請求項６】
基礎と土台との間に基礎パッキンを設ける建造物の施工方法であって、
前記基礎の外側面から前記モルタル止め部が突出した態様となるように、前記基礎の上面に請求項１〜５のいずれかに記載の基礎パッキンを載置する基礎パッキン載置工程と、
前記土台を前記基礎パッキンの上面に載置する土台載置工程とを含むことを特徴とする建造物の施工方法。
【発明の詳細な説明】
【技術分野】
【０００１】
この発明は、左官仕上げ用のモルタル止め部を有する基礎パッキンと、該基礎パッキンを基礎と土台との間に設ける建造物の施工方法とに関する。
【背景技術】
【０００２】
木造住宅等の建造物を建築する手法としては、例えば、建物を建てるべき部位の外殻部や内殻部にコンクリート製の基礎を作った後、この基礎の上面に木材の土台を固定し、木製土台の上に柱を立て、柱の上に梁を載せるという手法がある。このような手法は、伝統的な日本建築の手法であり、木造住宅の建築において広く採用されている。
【０００３】
コンクリート基礎（布基礎）は、セメント、砂、水を混合して流動状にして予め組み立てた金属製又は木製の型枠に流し込み、数日放置して固化させることにより作られるので、水分を大量に含み、且つ、長期的に水分を排出するコンクリート自体の特性によって、コンクリート基礎が直接接触する木製土台との接触部位で、木製土台がコンクリート基礎の水分を吸って湿り乾燥しにくくなり、湿って乾燥を阻害すると経時的に木製土台の腐朽を招来するという問題があった。
【０００４】
また、コンクリート基礎と木製土台との間には隙間がないので、両者の間から換気するということができないのであるが、木造住宅においては、床下の換気を行う必要があるため、一般的に、コンクリート基礎の適当な部位に、例えば、縦２００ｍｍ×横４００ｍｍ程度の換気穴を形成するということが行われていた。しかし、コンクリート基礎には木造住宅の荷重等に耐え得るだけの充分な強度が必要であるため、このような大きな換気穴を多数形成することは困難であり、形成可能な換気穴の数には制限があった。そのため、床下空間の換気穴から遠い隅部には湿気が滞留し易いという問題があった。
【０００５】
このようなことから、長年の間に土台や柱が腐朽してしまったり、シロアリによって土台が喰い荒らされるという問題もあった。また、コンクリート基礎に換気穴を形成すると、木造住宅の荷重等によって、換気穴の隅部からコンクリート基礎に亀裂が入ってしまうという問題もあった。
【０００６】
このような問題を解決するために創案されたものが基礎パッキンである。基礎パッキンは、基礎と土台との間に設けられるものであり、長い実績を保ち現在も数多く木造住宅の建設に用いられている。なお、本出願人の先願である特許文献１〜３に、基礎パッキンの形状や材質が詳しく述べられている。
【０００７】
基礎パッキンの一例について、図面を用いて説明する。
図１０は、基礎パッキンの一例を模式的に示す斜視図である。
基礎パッキン１００は、前後辺にそれぞれ３つの窪み１０１を有し、長手方向端辺には突起１０２と窪み１０３とを有する。突起１０２と窪み１０３とは、雌雄嵌合可能な形状となっている。基礎パッキン１００の土台と接触する面には、通気のために長手方向に伸びた溝１０４が形成されている。また、基礎パッキン１００には、上下方向に貫通した穴１０５が形成されている。穴１０５は、コンクリート基礎から上方へ突出したアンカーボルトを挿通するためのものである。また、基礎パッキン１００は、長さＬが２００ｍｍ、幅Ｗが１００ｍｍ、高さＨが２０ｍｍ程度の大きさを有している。
【０００８】
このような基礎パッキンを、アンカーボルトが設けられたコンクリート基礎の上面に載置する。コンクリート基礎の直角の隅部では、２枚の基礎パッキンをＴ字型又はＬ字型に組み合わせて載置する。コンクリート基礎の直線部では、基礎パッキンを１枚ずつ載置することもあるが、２枚の基礎パッキンを上述したように長手方向に結合して載置することもある。そして、基礎パッキンの上面に、アンカーボルトの通し穴を穿った土台用木材を載置し、アンカーボルトにナットを螺合させて緊締することにより、コンクリート基礎と基礎パッキンと木製土台とを固定することができる。
【０００９】
従来、コンクリート基礎の上面の全周域に基礎パッキンを載置するのではなく、一定の間隔を空けて載置していた。これにより基礎パッキンが載置されていない部分の隙間（高さ２０ｍｍ程度）を換気穴として利用することができるので、コンクリート基礎に換気穴を形成する必要がなる。また、基礎と木製土台との間に基礎パッキンを介装することにより、木製土台の横滑りを防止して耐震性の高い構造とすることができる。
【００１０】
この基礎パッキン工法によれば、建造物の換気性を向上させ、木製土台の腐朽やシロアリの喰害を防止することができ、建造物は堅牢となり耐震性を高めることができる。また、施工が簡便となり省略化を図ることができるという利点もある。
【００１１】
図１１は、上記基礎パッキン工法を用いて建造した建造物の一例を示す断面図である。
コンクリート基礎２００の上面に基礎パッキン１００が載置され、さらにその上に木製土台１１０が載置され、図示しないアンカーボルトにナットを螺合させて緊締されている。
また、基礎パッキン１００は、一定の間隔を空けて載置されているため、換気性は向上する。しかしながら、このままでは、この隙間から鼠等の小動物が出入りし、木製土台１１０等を食い荒らすことがある。
【００１２】
そこで、通常、横長矩板状の鋼板の中央部分に鼠が通らない程度の小さな矩形の穴を、多数長手方向に整列するように形成し、さらにこの鋼板をその断面がＺの形状になるように折り曲げ、小さな矩形の穴が斜めの部分に位置するようにした防鼠材２４０を、基礎パッキン１００が複数載置されている部分の外側全面に設け、さらにその外側に水切り２３０を配置する工法が採用されている。このような工法を採用した場合には、図１１に示すように、コンクリート基礎２００の外側全体に防鼠材２４０の下部と同じ厚さ（１５〜２０ｍｍ）でモルタルを塗布して硬化させ、基礎化粧モルタル２２０を形成していた。
なお、防鼠材２４０、水切り２３０は、釘で打ちつけることにより、その上部を木製土台１１０に固定、その上に外装材２１０を配置していた。
【００１３】
このように、防鼠材２４０を設けると、モルタルを塗布する際に、防鼠材２４０の幅がモルタル層の厚さの基準となるとともに、上端が防鼠材２４０で規制されるため、防鼠材２４０を上端としてモルタルを形成すればよく、容易に基礎化粧モルタル２２０を形成することができた。
【００１４】
しかし、近年では、図１０に示した基礎パッキン１００（以下、短尺の基礎パッキンともいう）に比べて、その長さが長く、例えば、長さＬが９００ｍｍ程度ある長尺の基礎パッキンを用いるようになってきた。それは、以下のような理由による。
【００１５】
すなわち、このような長尺の基礎パッキンを用いると、コンクリート基礎の上面の全周域を覆うように載置しても部品点数が増大せず、コンクリート基礎の上面に一定の間隔を空けて短尺の基礎パッキンを載置する場合と比べて、基礎パッキンの位置合わせが不要となり、施工がより簡便となり、さらなる省力化を図ることができる。
また長尺の基礎パッキンを用いると、位置合わせの作業が不要となるため、施工の質を均一化させることができ、木製土台の荷重が長尺の基礎パッキンの全域に均等に掛かることになるため、木製土台に撓み等が生じるおそれもない。
【００１６】
図１２は、コンクリート基礎の上面の全周域を覆うように長尺の基礎パッキンを載置した様子を模式的に示す斜視図である。図中、２００はコンクリート基礎、２０１及び２０２は部屋となる領域、２０３は玄関となる領域、３０２はアンカーボルトをそれぞれ示している。
【００１７】
図１２に示すように、コンクリート基礎２００の上面には、その全周域を覆うように長尺の基礎パッキン３００、３０１が載置されている。玄関となる領域２０３を囲うコンクリート基礎２００の上面には、通気用の貫通穴がその側面に形成されていない中実体の基礎パッキン（以下、遮蔽型の基礎パッキンともいう）３００が載置されている。
部屋となる領域２０１、２０２を囲うコンクリート基礎２００の上面には、通気用の貫通孔がその側面に形成されている基礎パッキン（以下、換気型の基礎パッキンともいう）３０１が載置されている。
【００１８】
図１２に示したように、コンクリート基礎の上面の全周域を覆うように長尺の基礎パッキンを載置する施工方法を用いる場合には、通常、遮蔽型の基礎パッキンと換気型の基礎パッキンとの両方を使用する。これは、以下のような理由による。すなわち、床下がなくて室内空間と外部空間とが土台を介して両側で接する箇所（例えば、玄関、勝手口、土間部等）においては、基礎パッキンから通気させる必要はなく、通気させると却って室内空間の気密性が悪化して冷暖房効率が低下してしまうから、遮蔽型の基礎パッキンを使用しているのである。一方、他の箇所においては、換気型の基礎パッキンを使用することにより、基礎パッキン自体に換気穴としての機能を持たせているのである。
【００１９】
【特許文献１】実開昭５４−１８１７２１号公報
【特許文献２】実開昭５４−１８１７０８号公報
【特許文献３】特公昭５５−４０７３４号公報
【発明の開示】
【発明が解決しようとする課題】
【００２０】
上述したように、コンクリート基礎の上面の全周域を覆うように長尺の基礎パッキンを略隙間なく載置する施工方法を用いる場合、換気型の基礎パッキンの貫通孔は、鼠等の小動物が通過できない大きさに設定されているため、防鼠材２４０（図１１参照）を設ける必要はない。また、遮蔽型の基礎パッキンを用いる部分では、当然ながら、防鼠材２４０を設ける必要がない。
しかしながら、上述の施行方法では、防鼠材２４０を設けないため、図１１に示すように、コンクリート基礎２００の外表面に基礎化粧モルタル２２０を形成する際、その上端や厚さを規定するものが存在せず、モルタルを塗布しにくいという問題が生じた。
【００２１】
本発明は、上述した課題に鑑みてなされたものであり、その目的は、基礎の外表面に基礎化粧モルタルを形成する際、その上端や厚さの基準となる役割を果たすことが可能な基礎パッキンを提供することにある。また、本発明の目的は、上述の基礎パッキンを用いた建造物の施工方法を提供することにある。
【課題を解決するための手段】
【００２２】
上述した課題を解決するために、本発明は、以下のようなものを提供する。
（１）基礎と土台との間に設けられ、所定の厚さを有する矩形板状の基礎パッキンであって、
ボルトを通すための穴が上下方向に穿ってあり、長辺外側面には、水平方向に突出したモルタル止め部が設けられていることを特徴とする基礎パッキン。
【００２３】
（１）の発明によれば、基礎上に載置された基礎パッキンに水平方向に突出した板状のモルタル止め部が設けられているので、モルタルを塗布する際には、その上端を上記モルタル止め部の位置とするとともに、その幅（厚さ）が略モルタル止め部の幅となるようにモルタルを塗布すればよく、従来の防鼠材等が設けられている場合と同様に、容易かつ迅速に基礎化粧モルタルを形成することができる。
さらに、モルタルをモルタル止め部材より上に形成することはないので、換気型の基礎パッキンを用いた場合、長尺、短尺に限らず、通気孔による通気を確実に確保することができる。
【００２４】
さらに、本発明は、以下のようなものを提供する。
（２）  上記（１）記載の基礎パッキンであって、
位置決め用のぞき孔が設けられていることを特徴とする基礎パッキン。
【００２５】
（２）の発明によれば、位置決め用のぞき孔が設けられているので、上記位置決め用のぞき孔を介して、基礎上面に描かれた墨出し線等を視認可能であり、基礎パッキンや土台の位置合わせを容易に行うことができる。
【００２６】
さらに、本発明は、以下のようなものを提供する。
（３）  上記（１）又は（２）記載の基礎パッキンであって、
上記長辺外側面には、水平方向に貫通する多数の通気孔が設けられていることを特徴とする基礎パッキン。
【００２７】
（３）の発明によれば、建造物に設置された基礎パッキンは、水平方向に貫通するように多数の通気孔が設けられているため、充分に換気を行うことができる。
【００２８】
さらに、本発明は、以下のようなものを提供する。
（４）  上記（１）〜（３）のいずれかに記載の基礎パッキンであって、
下面には、モルタル止め部より幅方向の中心に至るまでの区間に段部が設けられ、幅方向の中心を含む平面よりモルタル止め部を含む平面の方が高くなるように設定されていることを特徴とする基礎パッキン。
【００２９】
（４）の発明によれば、モルタル止め部より幅方向の中心に至るまでの区間に段部が設けられているので、基礎パッキンを載置する基礎上面の幅が広く、上記モルタル止め部を基礎の外側面より充分に外側に突出させることができなかった場合には、上記モルタル止め部と基礎上面との間に矩形状の平板を挿入し、この平板をモルタル止め部として働かせることができる。
従って、上記モルタル止め部を基礎の外側面より充分に外側に突出していない場合であっても、平板を用いてモルタル止め部を設けることができ、容易かつ迅速に基礎化粧モルタルを形成することができる。
【００３０】
さらに、本発明は、以下のようなものを提供する。
（５）  上記（１）〜（３）のいずれかに記載の基礎パッキンであって、
その下面には、下方に突出するパッキン位置決め用突出部が設けられていることを特徴とする基礎パッキン。
【００３１】
（５）の発明によれば、パッキン位置決め用突出部が設けられているので、基礎上に基礎パッキンを配置する際、上記基礎の外側面にパッキン位置決め用突出部の内側面が接触するように載置すればよく、より容易かつ正確に基礎上に基礎パッキンを載置することができる。
【００３２】
さらに、本発明は、以下のようなものを提供する。
（６）基礎と土台との間に基礎パッキンを設ける建造物の施工方法であって、
前記基礎の外側面から前記モルタル止め部が突出した態様となるように、前記基礎の上面に上記（１）〜（５）のいずれかに記載の基礎パッキンを載置する基礎パッキン載置工程と、
上記土台を上記基礎パッキンの上面に載置する工程とを含むことを特徴とする建造物の施工方法。
【００３３】
（６）の発明によれば、前記基礎の外側面から前記モルタル止め部が突出した態様となるように、前記基礎パッキンを載置するので、モルタルを塗布する際には、その上端を上記モルタル止め部とするとともに、その幅（厚さ）がモルタル止め部の幅となるようにモルタルを塗布すればよく、従来の防鼠材等が設けられている場合と同様に、容易かつ迅速に基礎化粧モルタルを形成することができる。
【発明の効果】
【００３４】
本発明によれば、基礎上に載置された基礎パッキンにモルタル止め部が設けられているので、モルタルを塗布する際には、その上端を上記モルタル止め部とするとともに、その幅（厚さ）がモルタル止め部の幅となるようにモルタルを塗布すればよく、容易かつ迅速に基礎化粧モルタルを形成することができる。
さらに、モルタルをモルタル止め部材より上に形成することはないので、換気型の基礎パッキンを用いた場合、長尺、短尺に限らず、通気孔による通気を確実に確保することができる。
【発明を実施するための最良の形態】
【００３５】
本発明は、基礎と土台との間に設けられ、所定の厚さを有する矩形板状の基礎パッキンであって、
ボルトを通すための穴が上下方向に穿ってあり、長辺外側面には、水平方向に突出したモルタル止め部が設けられていることを特徴とする基礎パッキンである。
【００３６】
上記基礎パッキンの詳細については、下記実施の形態において詳しく説明するが、ここでは、水平方向に突出したモルタル止め部について説明を行う。
水平方向に突出したモルタル止め部の形状は、特に限定されるものではなく、基体に垂直な縦断面は、板状であってもよく、台形状であってよい。また、基体との外側面との境界部分には、段部が形成されていてもよく、モルタル止め部の境界部分の厚さが基体の厚さと同じであってもよい。
【００３７】
以下、本発明の実施形態について図面を用いて説明する。
勿論、本発明は、以下の実施形態に限定されるものではなく、本発明の構成を充足する範囲内で、適宜設計変更を行うことが可能である。
［第１実施形態］
図１（ａ）は、第１実施形態に係る本発明の基礎パッキンの一例を模式的に示す斜視図であり、（ｂ）は、（ａ）に示した基礎パッキンを短辺の方向から見た様子を示す短辺側側面図である。
【００３８】
基礎パッキン１０は、いわゆる長尺の換気型基礎パッキンと言われるものである。この基礎パッキン１０は、所定の厚さを有する略矩形板状をなしており、長辺方向に伸びた一対の基体１１、１２と、一対の基体１１、１２を短辺方向に接続する４箇所の結合部１３とから構成され、これらは一体的に形成されている。なお、結合部１３の数は、４個に限定されるものではない。
【００３９】
基体１１、１２は四角柱形状を有しているが、一方の先端の接続部１７ａには、切り欠き（突起）が形成され、他方の先端の接続部１７ｂには、上下に貫通した溝が形成されており、別の基礎パッキンと接続部１７ａ、１７ｂ同士を嵌合させることにより、連結することができるようになっている。
基体１１、１２の寸法は限定されるものではないが、例えば、長さは５００〜２０００ｍｍ、幅２０〜７０ｍｍ、高さ１０〜３０ｍｍである。接続部１７ａ、１７ｂに相当する部分は、平坦であってよい。
【００４０】
基礎パッキン１０の寸法も特に限定されるものではないが、例えば、長さは５００〜２０００ｍｍ、幅は７０〜２００ｍｍ、高さは１０〜３０ｍｍである。
基体１１、１２及び結合部１３によって囲まれた空間が、アンカーボルトを挿通するためのボルト挿通孔である。
【００４１】
また、この基礎パッキン１０では、床下の換気を行うとともに、軽量化を図るため、短辺方向に貫通する側面視矩形状の多数の通気孔１５が設けられている。一方、結合部１３の近傍では、通気孔１５を形成しにくいので、上下に貫通する縦孔１６が設けられている。
なお、結合部１３が設けられている部分にも、結合部１３を水平方向に貫通するように、通気孔が設けられていてもよい。
第１実施形態に係る基礎パッキン１０では、充分な軽量化がなされているので、取り扱いの利便性に優れ、材料の使用量を節減してコストダウンを図ることができる。なお、基礎パッキンは、長尺に限られず、短尺でもよい。
【００４２】
第１実施形態に係る基礎パッキン１０では、長辺外側面１１ａ、１２ａの下部に、水平方向に突出したモルタル止め部１４が形成されている点に特徴を有する。
このモルタル止め部１４の幅は、１５〜２０ｍｍが望ましい。基礎の外表面に基礎化粧モルタルを形成する際、その厚さが１５〜２０ｍｍであり、モルタルをこの厚みとする際に基準となるからである。
【００４３】
このモルタル止め部１４の役割については、後述する本発明に係る建造物の施行方法で詳しく説明するが、基礎の上面に基礎パッキン１０及び土台を載置し、基礎の外側面にモルタルを形成する際、このモルタル止め部１４が基礎の外側面の上端から突出するように形成されているので、その幅を塗布するモルタルの厚さとし、モルタル止め部１４の下面をモルタルの上端となるようにモルタルを形成すればよく、容易に基礎化粧モルタルを形成することができる。
【００４４】
図１に示した基礎パッキン１０では、長辺外側面１１ａ、１２ａの下部にモルタル止め部１４が形成されているが、長辺外側面１１ａ、１２ａのいずれか一方のみにモルタル止め部１４が形成されていてもよい。ただし、この場合には、基礎の上面に基礎パッキン１０を載置する際、モルタル止め部１４が形成された側が、建造物の外側に位置するように載置する必要がある。
【００４５】
次に、第１の実施形態に係る基礎パッキンの材料について説明する。なお、基礎パッキンの材料に関しては、下記するいずれの実施形態に係る基礎パッキンも同じであるので基礎パッキンの材料の説明は、後述する他の実施形態では省略する。
【００４６】
本発明の基礎パッキンの材料としては、特に限定されるものではなく、例えば、金属材料、樹脂材料等を挙げることができる。金属材料としては、特に限定されるものではないが、例えば、ステンレス、鋳鉄等を挙げることができる。セラミックを用いることとしてもよい。樹脂材料としては、特に限定されるものではないが、例えば、ポリプロピレン、ポリエチレン、アクリロニトリル・ブタジエン・スチレン樹脂（ＡＢＳ）、ポリ塩化ビニル、ナイロン等を挙げることができる。また、樹脂材料として、例えば、天然ゴム（ＮＲ）、スチレン・ブタジエンゴム（ＳＢＲ）、クロロプレンゴム（ＣＲ）等のゴム材料を挙げることができる。これらの材料は、単独で用いてもよく、２種以上を併用してもよい。
【００４７】
基礎パッキンの材料として樹脂材料を用いた場合には、アンカーボルトの位置にあわせて建築現場において容易に接続突部を切断することが可能となるため、アンカーボルトの位置に拘わらず、基礎パッキンを使用することができるという利点がある。
【００４８】
基礎パッキンの材料として、樹脂材料を用いる場合には、無機材料を添加して用いることが望ましい。剛性が高くなり建築材料として好適な硬さとすることができ、光による樹脂材料の脆性化を防止し、さらに、耐水性や耐熱性等を向上させることができるからである。無機材料としては、特に限定されるものではないが、例えば、炭酸カルシウム、含水珪酸マグネシウム、石粉、コンクリート粉体、高炉スラグ、フライアッシュ等を挙げることができる。樹脂材料と無機材料との配合重量比は、１：０．１〜１：３であることが好ましい。また、例えば、フタル酸エステル、ジブチルフタレート等の可塑剤を添加してもよい。
【００４９】
次に、第１の実施形態に係る基礎パッキンを用いた本発明の建造物の施工方法について説明する。
本発明に係る施工方法は、基礎と土台との間に基礎パッキンを設ける建造物の施工方法であって、
上記基礎の上面に、その外側面が上記基礎の外側面とほぼ同一面を形成するように上記基礎パッキンを載置する基礎パッキン載置工程と、上記土台を上記基礎パッキンの上面に載置する土台載置工程とを含むことを特徴とする建造物の施工方法である。
【００５０】
図２は、第１の実施形態に係る基礎パッキンを用いた本発明の建造物の施工方法を説明するための断面図である。なお、この施工法は、比較的簡単に説明することができるので、一の図面を使用して説明することとする。
【００５１】
本施工方法では、まず、コンクリート基礎２００の上面に基礎パッキン１０を載置する基礎パッキン載置工程を行う。
この際、基礎パッキン１０のモルタル止め部１４がコンクリート基礎２００の外側面より水平に突出した状態となるように基礎パッキン１０を載置する。
【００５２】
次に、土台載置工程を行い、この基礎パッキン１０の上に木製土台１１０を載置し、図示しないアンカーボルトにナットを螺合させて緊締する。
本実施形態に係る基礎パッキン１０は、長尺の基礎パッキンであり、外側面に換気孔１５が形成されているので、図１２に示すように、換気が必要なコンクリート基礎２００の上面全体を覆うように載置する。この場合、防鼠材２４０（図１１参照）を必要としない。
【００５３】
上記工程の後、基礎化粧モルタルを形成するために、モルタルを塗布する。この際、基礎２００の上端から基礎パッキン１０のモルタル止め部１４が突出し、その幅は、モルタルの厚さと略同じ、１５〜２０ｍｍであるため、モルタルの表面がモルタル止め部１４の先端部と略同じとなり、その上端がモルタル止め部１４の下面となるようにモルタルを形成すればよい。従って、容易に基礎化粧モルタル２２０を形成することができる。
【００５４】
［第２実施形態］
図３（ａ）は、第２実施形態に係る本発明の基礎パッキンの一例を模式的に示す斜視図であり、（ｂ）は、（ａ）に示した基礎パッキンを短辺の方向から見た様子を示す側面図である。
【００５５】
基礎パッキン２０は、いわゆる長尺の遮蔽型基礎パッキンと言われるものである。基礎パッキン２０は、所定の厚さを有する略矩形板状であり、長辺方向に伸びた一対の基体２１、２２と、一対の基体２１、２２を短辺方向に接続する４箇所の結合部２３とから構成され、これらは一体的に形成されている。なお、結合部２３の数は、４個に限定されるものではない。
基体２１、２２は四角柱形状を有しており、その寸法は限定されるものではないが、例えば、長さは５００〜２０００ｍｍ、幅２０〜７０ｍｍ、高さ１０〜３０ｍｍである。
【００５６】
基礎パッキン２０の寸法も特に限定されるものではないが、例えば、長さは５００〜２０００ｍｍ、幅は７０〜２００ｍｍ、高さは１０〜３０ｍｍである。
基体２１、２２及び結合部２３によって囲まれた空間が、アンカーボルトを挿通するためのボルト挿通孔である。
【００５７】
また、この基礎パッキン２０には、軽量化を図るため、基体２１、２２の長辺内側面に水平方向に多数の有底孔２５が設けられている。一方、結合部２３の近傍では、通気孔２５を形成しにくいので、上下方向に形成された有底縦孔２６が設けられている。
基体２１、２２に設けられた有底孔２５は、貫通していないため、この基礎パッキン２０を用いた場合には、床下の換気を行うことができない。従って、この基礎パッキンは、換気をしない部分、すなわち、床下がなくて室内空間と外部空間とが土台を介して両側で接する箇所（例えば、玄関、勝手口、土間部等）に用いられる。
第２実施形態に係る基礎パッキン２０では、充分な軽量化がなされているので、取り扱いの利便性に優れ、材料の使用量を節減してコストダウンを図ることができる。なお、基礎パッキンは、長尺に限られず、短尺でもよい。
【００５８】
第２実施形態に係る基礎パッキン２０では、長辺外側面２２ａの下部に、水平方向に突出したモルタル止め部２４が形成されている点に特徴を有する。このモルタル止め部２４の幅は、１５〜２０ｍｍが望ましい。基礎の外表面に基礎化粧モルタルを形成する際、その厚さが１５〜２０ｍｍであり、モルタルをこの厚みとする際に基準となるからである。なお、第２実施形態に係る基礎パッキン２０では、片側のみにモルタル止め部２４が形成されている。
【００５９】
このモルタル止め部２４は、基礎の上面に基礎パッキン２０及び土台を載置し、基礎の外側面にモルタルを形成する際、このモルタル止め部２４が基礎の上面から突出するように形成されているので、その幅を塗布するモルタルの厚さとし、モルタル止め部２４の下面をモルタルの上端となるようにモルタルを形成すればよく、容易に基礎化粧モルタルを形成することができる。
ただし、基礎の上面に基礎パッキン２０を載置する際、モルタル止め部２４が形成された側が、建物の外側になるように載置する必要がある。
【００６０】
図３に示した基礎パッキン２０では、長辺外側面２２ａの下部にモルタル止め部２４が形成されているが、長辺外側面２１ａ、２２ａの両方にモルタル止め部２４が形成されていてもよい。
【００６１】
第２の実施形態に係る基礎パッキンを用いた本発明の建造物の施工方法は、第１の実施形態に係る基礎パッキンを用いた建造物の施工方法と同様であるので、その説明を省略する。ただし、この基礎パッキン２０は、第１の実施形態に係る基礎パッキン１０と異なり、遮蔽型であるので、床下がなくて室内空間と外部空間とが土台を介して両側で接する箇所（例えば、玄関、勝手口、土間部等）に用いられ、長尺であるので、その全体を覆うように載置する。
【００６２】
［第３実施形態］
図４（ａ）は、第３実施形態に係る本発明の基礎パッキンの一例を模式的に示す短辺側側面図であり、（ｂ）は、（ａ）に示した基礎パッキンを長辺の方向から見た様子を示す長辺側側面図である。
【００６３】
基礎パッキン３０では、基体３２にモルタル止め部材が設けられておらず、基体３１の幅が広くなってモルタル止め部を兼ねている点と、パッキン位置決め用突出部３８が設けられているほかは、第１の実施形態に係る基礎パッキン１０と同様に構成されているので、ここでは、基体３１及びパッキン位置決め用突出部３８について説明することとする。
【００６４】
図４（ａ）に示すように、基体３１は、図１に示した基体１１を外側に拡張した態様となっており、通気孔３５の長さも基体３１の幅が広がったことに応じて長くなっている。基体３１の拡張部分がモルタル止め部３４として機能する。
【００６５】
パッキン位置決め用突出部３８は、基礎パッキン３０を構成する基体３１の下面に、その内側面３８ａが基体３１と基体の拡張部分であるモルタル止め部３４の境界面と同一面を形成するように矩形板形状に設けられている。
【００６６】
図４（ｂ）に示すように、この基礎パッキン３０では、基体３１の長辺方向の両端部と中央の３箇所に、パッキン位置決め用突出部３８が設けられているが、パッキン位置決め用突出部３８は、基体３１の長さ方向の全体にわたって設けられていてもよく、４箇所以上にわたって設けられていてもよい。なお、図中、３３は、結合部である。
【００６７】
このパッキン位置決め用突出部３８は、基礎の上面に基礎パッキン３０を載置する際に、簡単に位置決めを行うことができるように形成されたものであり、この位置決めの様子については、後述する本実施形態に係る基礎パッキンを用いた施工方法の説明で詳しく説明することとする。
【００６８】
また、本実施形態に係る基礎パッキン３０は、換気型であり、基体３１の側面に通気孔３５が形成されているため、換気を必要とする部分で使用されるが、第２の実施形態に係る基礎パッキン２０と同様に遮蔽型で、長辺内側面に有底孔が形成されていてもよい。長辺内側面に有底孔が形成された基礎パッキンは、換気機能を有さないので、実施の形態２で説明したように、玄関、勝手口、土間部等の基礎の上に載置される。
【００６９】
図４に示した基礎パッキン３０では、矩形板状のパッキン位置決め用突出部３８が基体３１の長手方向に平行に形成されていたが、複数の矩形板状のパッキン位置決め用突出部がモルタル止め部材３４の下面に、その主面が長手方向に直角になるように形成されていてもよい。
この場合には、その長さは、モルタル止め部３４の幅と同じになり、その端部が基体３１と基体の拡張部分であるモルタル止め部３４の境界面上に位置することとなる。
【００７０】
また、図４に示す基礎パッキン３０では、基体３１は、図１に示した基体１１を外側に拡張した態様となっており、拡張部分がモルタル止め部３４として機能したが、図５に示す基礎パッキン４０のように、四角柱形状のモルタル止め部４４が基体４１の外側下部に設けられた形状となっていてもよい。なお、基本的な形状は、図４に示した基礎パッキン３０と同様であり、図中、４２は基体、４３は結合部、４５は通気孔である。
【００７１】
この場合には、モルタル止め部材４４がパッキン位置決め用突出部としての役割も果たすこととなる。この基礎パッキン４０を基礎の上面に載置する際には、モルタル止め部４４の内側面が基礎の外側面と接触するように載置すれば、基礎パッキン４０の外側面４１ａが基礎の外側面とほぼ同一面を形成するようになる。
【００７２】
次に、第３の実施形態に係る基礎パッキンを用いた本発明の建造物の施工方法について説明する。
【００７３】
図６は、第３の実施形態に係る基礎パッキンを用いた建造物の施工方法を説明するための断面図である。
本施工方法では、まず、コンクリート基礎２００の上面に基礎パッキン３０を載置する基礎パッキン載置工程を行う。
この工程では、パッキン位置決め用突出部３８の内側面３８ａがコンクリート基礎２００の外側面と接触するように基礎パッキン３０を載置する。このように載置することにより、基礎パッキン３０の外側面３２ａがコンクリート基礎２００の外側面とほぼ同一面を形成するように基礎パッキン３０を載置することができる。また、このように載置することにより、コンクリート基礎２００の外側面からパッキン位置決め用突出部３８を介してモルタル止め部３４が水平に突出した状態となる。
【００７４】
次に、土台載置工程を行い、この基礎パッキン３０の上に木製土台１１０を載置し、図示しないアンカーボルトにナットを螺合させて緊締する。
本実施形態に係る基礎パッキン３０は、長尺の換気型基礎パッキンであり、外側面に通気孔３５が形成されているので、図１２に示すように、換気が必要なコンクリート基礎の上面全体を覆うように載置する。この場合、防鼠材２４０（図１１参照）を必要としない。
【００７５】
上記工程の後、基礎化粧モルタルを形成するために、モルタルを塗布する。モルタルを塗布する際、基礎２００の上端からパッキン位置決め用突出部３８を介してモルタル止め部３４が水平に突出し、パッキン位置決め用突出部３８を含めたその幅は、モルタルの厚さと略同じ、１５〜２０ｍｍであるため、モルタルの表面がモルタル止め部３４の先端部と略同じになるように形成すればよい。また、その上端がモルタル止め部３４の下面になるようにモルタルを塗布すればよい。従って、容易に基礎化粧モルタル２２０を形成することができる。
【００７６】
なお、上記説明においては、図１〜５に示した形状の基礎パッキンを用いて本発明の基礎パッキンを説明したが、本発明の基礎パッキンは、上述した機能を有するモルタル止め部が形成されていれば、上述した構造の基礎パッキンに限られず、種々の構造のものを採用することができる。
【００７７】
［第４実施形態］
図７（ａ）は、第４実施形態に係る本発明の基礎パッキンの一例を模式的に示す短辺側側面図であり、（ｂ）は、（ａ）に示した基礎パッキンを長辺の方向から見た様子を示す長辺側側面図である。
【００７８】
基礎パッキン５０では、基体５２にモルタル止め部５４が設けられており、モルタル止め部５４に位置決め用のぞき孔５７が設けられているほかは、図３に示した第２の実施形態に係る基礎パッキン２０と同様に構成されているので、ここでは、この位置決め用のぞき孔５７を有するモルタル止め部５４を中心に説明することとする。
【００７９】
図７（ａ）に示すように、基体５２には断面視台形状に突出するモルタル止め部５４が設けられており、モルタル止め部５４には、その内側の壁面が基体５２の外側面とほぼ重なるように縦の貫通孔からなる位置決め用のぞき孔５７が複数個並設されている。
【００８０】
この基礎パッキン５０では、モルタル止め部５４に複数の位置決め用のぞき孔５７が形成されているので、これらの複数の位置決め用のぞき孔５７を介して、基礎上面に描かれた墨出し線を視認可能であり、基礎パッキンや土台の位置合わせを容易に行うことができる。位置決め用のぞき孔５７の形状は特に限定されず、貫通孔であればよい。
なお、この基礎パッキンでは、位置決め用のぞき孔５７の代わりに切り欠きが形成されていてもよい。
【００８１】
本実施形態に係る基礎パッキン５０は、遮蔽型であるが、換気型の基礎パッキンに上述のモルタル止め部５４が設けられていてもよい。
なお、上述したように、基本的な形状は、図３に示した基礎パッキン２０と同様であり、図中、５１は基体、５３は結合部、５５は有底孔、５６は有底縦孔である。
なお、モルタル止め部５４の断面形状は特に限定されず、四角形状（すなわち、四角柱形状のモルタル止め部材）、三角形状、半円形状、半楕円形状等が挙げられる。
【００８２】
本実施形態に係る基礎パッキン５０を用いて、建造物の施工を行った際、基礎の上端からモルタル止め部５４が水平に突出しているため、モルタルの表面がモルタル止め部の先端部と略同じとなり、その上端がモルタル止め部５４の下面になるようにモルタルを塗布すればよい。従って、容易に基礎化粧モルタルを形成することができる。
【００８３】
［第５実施形態］
図８（ａ）は、第５実施形態に係る本発明の基礎パッキンの一例を模式的に示す斜視図であり、（ｂ）は、（ａ）に示した基礎パッキンのＡ−Ａ線断面図であり、（ｃ）は、そのＢ−Ｂ線断面図であり、（ｄ）は、そのＣ−Ｃ線断面図である。
【００８４】
基礎パッキン６０は、いわゆる長尺の換気型基礎パッキンと言われるものである。この基礎パッキン６０は、所定の厚さを有し、略矩形板状をなしており、長辺方向に伸びた一対の基体６１、６２と、一対の基体６１、６２を短辺方向に接続する結合部６３とモルタル止め部６４から構成され、これらは一体的に形成されている。なお、結合部６３の数は、特に限定されるものではなく、例えば、２〜８程度の数をとり得る。
【００８５】
基体６１、６２は略四角柱形状を有しており、一方の先端の接続部６９には、切り欠きや突起が形成されており、他方の先端の接続部（図示せず）には、この切り欠きや突起と合致するように、切り欠きに相当する部分に突起が、突起に相当する部分に切り欠きがそれぞれ形成されており、同じ基礎パッキンを直線状に連結するときの位置合わせを適切に行うことができるようになっている。
基体６１、６２の寸法や基礎パッキン１０の寸法は限定されるものではないが、例えば、図１に示した基礎パッキンとほぼ同様でよい。なお、接続部６９は、平坦であってもよい。
【００８６】
基体６１、６２及び結合部６３によって囲まれた空間は、アンカーボルトを挿通するためのボルト挿通孔である。
【００８７】
この基礎パッキン６０では、床下の換気を行うとともに、軽量化を図るため、基体６１、６２や結合部６３を、内部全体に材料が充填された構造とせず、内部に空洞が形成されるか、切り欠きが形成され、実質的な材料の体積が少なくなるように工夫されている。
【００８８】
すなわち、基体６１、６２の外形は、略四角柱形状であるが、基体６１、６２を長さ方向に平行な垂直面で２分した形態は、薄い板状体が直角に屈曲する形態を繰り返しながら長さ方向に伸びていく形態となっており、このような形態のものを、上下のパターンが逆になるように組み合わせて結合させ、基体６１、６２としており、空気は、基礎パッキン６０の内部を自由に流通できるように構成されている。また、結合部１３においても、角柱の内部６７は空洞となっている。
【００８９】
第５実施形態に係る基礎パッキン６０では、充分な軽量化がなされているので、取り扱いの利便性に優れ、材料の使用量を節減してコストダウンを図ることができるとともに、上記の形態を採用しているので、充分な強度を有するとともに、極めて通気性に優れている。なお、基礎パッキンは、長尺に限られず、短尺でもよい。
【００９０】
第５実施形態に係る基礎パッキン６０では、長辺外側面の下部に、水平方向に突出した板状のモルタル止め部６４が形成されており、板状体の補強のために、長辺外側面に直角三角形形状の支持部材６５が所定間隔で設けられている。基体６２には、モルタル止め部６４が形成されているため、直角に屈曲した部分とモルタル止め部６４とにより貫通孔６６が形成されている。
このモルタル止め部６４の幅は、１５〜２０ｍｍが望ましい。基礎の外表面に基礎化粧モルタルを形成する際、その厚さが１５〜２０ｍｍであり、モルタルをこの厚みとする際に基準となるからである。
【００９１】
このモルタル止め部１４の役割については、前述した通りであるが、基礎の上面に基礎パッキン６０及び土台を載置し、基礎の外側面にモルタルを形成する際、このモルタル止め部６４が基礎の外側面の上端から突出するように形成されているので、その幅を塗布するモルタルの厚さとし、モルタル止め部６４の下面をモルタルの上端となるようにモルタルを形成すればよく、容易に基礎化粧モルタルを形成することができる。
【００９２】
図８に示した基礎パッキン６０では、片方の長辺外側面の下部にモルタル止め部６４が設けられているが、両方の長辺外側面にそれぞれモルタル止め部６４が設けられていてもよい。
【００９３】
次に、第５実施形態に係る基礎パッキンを用いた本発明の建造物の施工方法について説明する。
基礎の上面に、その外側面が基礎の外側面とほぼ同一面を形成するように基礎パッキンを載置し、土台を上記基礎パッキンの上面に載置する場合の施工方法は、図１に示した基礎パッキン１０の施工方法とほぼ同様である（図２参照）ので、ここでは、その説明を省略する。  
【００９４】
本発明では、図９（ａ）の基礎パッキン６０の拡大斜視図に示すように、モルタル止め部６４の下面より少し内側に入った下面に、段部６８が設けられ、モルタル止め部６４の下面を含む平面が基体６１や結合部６３の下面を含む平面よりも高くなっている。この段部６８は、長さ方向に平行に設けられている。このように段部６８を設けているのは、図９（ｂ）に示すように、モルタル止め部の突出長さが不充分にして、基礎パッキン６０を基礎２００の上に配設した場合に、その後、モルタル止め部の役割を果たす板状体７０を基礎の上面とモルタル止め部６４との間に挿入することができる空間を形成しておくためである。
【００９５】
図９（ｂ）は、第５実施形態に係る基礎パッキンを用いた建造物の施工方法の変形例を説明するための断面図である。
【００９６】
本施工方法では、まず、コンクリート基礎２００の上面に基礎パッキン６０を載置する基礎パッキン載置工程を行う。
この場合、コンクリート基礎２００の上面の幅が基礎パッキン６０の幅より広いので、基礎パッキン６０のモルタル止め部６４がコンクリート基礎２００の外側面より突出した状態となるように基礎パッキン６０を載置した際、コンクリート基礎２００の外側面より突出する幅が狭くなってしまう。
【００９７】
これでは、充分な厚さの基礎化粧モルタル２２０を形成することができないので、基礎パッキン６０のモルタル止め部６４とコンクリート基礎２００の上面との間に、板状体７０を挿入、固定する。板状体７０は、段部６８の段差と同じ幅（厚さ）であることが望ましい。
【００９８】
次に、土台載置工程を行い、この基礎パッキン６０の上に木製土台１１０を載置し、図示しないアンカーボルトにナットを螺合させて緊締する。
本実施形態に係る基礎パッキン６０は、長尺の基礎パッキンであり、多数の換気孔が形成されているので、図１２に示すように、換気が必要なコンクリート基礎２００の上面のほぼ全体を覆うように載置する。
【００９９】
上記工程の後、基礎化粧モルタル２２０を形成するために、モルタルを塗布する。この際、基礎２００の上端から板状体７０が突出し、その幅は、モルタルの厚さと略同じであるため、モルタルの表面が板状体７０の先端部と略同じとなり、その上端が板状体７０の下面となるように基礎化粧モルタル２２０を形成すればよい。従って、容易に基礎化粧モルタル２２０を形成することができる。
【図面の簡単な説明】
【０１００】
【図１】（ａ）は、第１実施形態に係る基礎パッキンの一例を模式的に示す斜視図であり、（ｂ）は、その短辺側側面図である。
【図２】第１実施形態に係る建造物の施工方法の一例を模式的に示す断面図である。
【図３】（ａ）は、第２実施形態に係る基礎パッキンの一例を模式的に示す斜視図であり、（ｂ）は、その短辺側側面図である。
【図４】（ａ）は、第３実施形態に係る基礎パッキンの一例を模式的に示す長辺側側面図であり、（ｂ）は、その長辺側側面図である。
【図５】さらに、別の実施形態に係る基礎パッキンの一例を模式的に示す短辺側側面図である。
【図６】第３実施形態に係る建造物の施工方法の一例を模式的に示す断面図である。
【図７】（ａ）は、第４実施形態に係る基礎パッキンの一例を模式的に示す長辺側側面図であり、（ｂ）は、その長辺側側面図である。
【図８】（ａ）は、第５実施形態に係る基礎パッキンの一例を模式的に示す斜視図であり、（ｂ）は、（ａ）に示した基礎パッキンのＡ−Ａ線断面図であり、（ｃ）は、そのＢ−Ｂ線断面図であり、（ｄ）は、そのＣ−Ｃ線断面図である。
【図９】（ａ）は、第５実施形態に係る基礎パッキンの部分拡大斜視図であり、（ｂ）は、第５実施形態に係る基礎パッキンを用いた施工方法の一例を模式的に示す断面図である。
【図１０】従来の基礎パッキンの一例を模式的に示す斜視図である。
【図１１】従来の建造物の施工方法の一例を模式的に示す断面図である。
【図１２】コンクリート基礎の上面の全周域を覆うように長尺の基礎パッキンを載置した様子を模式的に示す斜視図である。
【符号の説明】
【０１０１】
１０、２０、３０、４０、５０、６０  基礎パッキン
１１、１２、２１、２２、３１、３２、４１、４２、５１、５２、６１、６２  基体
１１ａ、１２ａ、２１ａ、２２ａ、３１ａ、３２ａ、４１ａ、４２ａ、５１ａ  外側面
１３、２３、３３、４３、５３、６３  結合部
１４、２４、３４、４４、５４、６４  モルタル止め部
１５、３５、４５  通気孔
１６  縦孔
１７  接続部
２５、５５  有底孔
２６  有底縦孔
３８  パッキン位置決め用突出部
１１０  土台
２００  コンクリート基礎
２２０  基礎化粧モルタル
【図１】
2005330798.tif 000003
【図２】
2005330798.tif 000004
【図３】
2005330798.tif 000005
【図４】
2005330798.tif 000006
【図５】
2005330798.tif 000007
【図６】
2005330798.tif 000008
【図７】
2005330798.tif 000009
【図８】
2005330798.tif 000010
【図９】
2005330798.tif 000011
【図１０】
2005330798.tif 000012
【図１１】
2005330798.tif 000013
【図１２】
2005330798.tif 000014